(57)【要約】 【目的】  芯出しのための計測からマーキングまでを一括して迅速かつ正確に行うことが可能であり、且つ施工、組立時に必要な基準線を正確にマーキングすることが可能な芯出し治具の提供。【解決手段】  管状又は角状部材の外面に対し、少なくとも２点以上で接触する当接部を備えた固定用脚部２を有し、固定用脚部２はケーシング３に取り付けられ、ケーシング３全体を固定用脚部２によって管状又は角状部材に設置するように構成され、ケーシング３には管状又は角状部材に対する水平状態を示す水準器４が内蔵されているとともに、管状又は角状部材の長手方向に亘る中心線を示す中心線指示手段を内蔵し、且つ、前後又は上下動可能なケガキ部７がケーシング３に設けられ、ケガキ部７が管状又は角状部材の外周面に接触することにより、中心位置をマーキングすることを特徴とする芯出し治具である。【選択図】  図１
2012115956.tif 000002
【特許請求の範囲】
【請求項１】
管状又は角状部材の外面に対し、少なくとも２点以上で接触する当接部を備えた固定用脚部を有し、該固定用脚部はケーシングに取り付けられ、該ケーシング全体を該固定用脚部によって管状又は角状部材に設置するように構成され、該ケーシングには管状又は角状部材に対する水平状態を示す水準器が内蔵されているとともに、管状又は角状部材の長手方向に亘る中心線を示す中心線指示手段を内蔵し、且つ、前後又は上下動可能なケガキ部が該ケーシングに設けられ、該ケガキ部が管状又は角状部材の外面に接触することにより、中心位置をマーキングすることを特徴とする芯出し治具。
【請求項２】
前記中心線表示手段は、レーザ墨だし器、墨汁及びつぼ糸を使用した墨つぼであることを特徴とする請求項１に記載の芯出し治具。
【請求項３】
前記固定用脚部は、長手方向から視た場合に、ウイング状に形成され、その下端部が、管状又は角状部材の外面に接触する前記当接部であり、前記ケーシングの下面に、前後一対設けられていることを特徴とする請求項１又は２に記載の芯出し治具。
【発明の詳細な説明】
【技術分野】
【０００１】
本発明は、配管の敷設時、或いはパイプ材を溶接等によって所定の機器に設置する場合に、位置調整（芯出し）を行うために使用される芯出し治具に関する。
【背景技術】
【０００２】
水道管や下水管などの配管を敷設する際、或いは管状、角状などのパイプ材をタンクなどに溶接する場合に正確な位置決めを行うために、いわゆる墨だし作業を行う。
従来、このような墨だしを行う装置として、特開平７−２２７７７３号公報（特許文献１）記載の「芯出し装置」、又は、特開２００１−５０７０１号公報（特許文献２）記載の円形管用側尺付求心器、実開平７−１４２８１号号公報（特許文献３）記載の「配管の芯出し工具」などが公知である。
【０００３】
特許文献１記載の「芯出し装置」は、ノギスを操作するようなイメージのもので、管を両側から挟み込むことによって配管の中央部の位置を示すようになっている。
また、特許文献２記載の「円形管用側尺付求心器」は、やはり配管を両側から挟み込むことによって中央部を測定し、測定結果に基づき位置決めを行うようになっている。
【０００４】
さらに、特許文献３記載の「配管の芯出し工具」は、門型フレームの上部に水準器を取り付けるとともにフレーム水平面と直交する標線をフレームの側面に設け、当該標線の指示に従って芯出しを行うもので、地中に埋設する配管の分野などで利用される。
【先行技術文献】
【特許文献】
【０００５】
【特許文献１】特開平７−２２７７７３号公報
【特許文献２】特開２００１−５０７０１号公報
【特許文献３】実開平７−１４２８１号公報
【発明の開示】
【発明が解決しようとする課題】
【０００６】
しかしながら、前述した各文献記載の計測器は、芯出しの対象となる配管等の中心位置を計測したのち、マーカー等で別途マーキングを行わなければならなかった。
このため、芯出し作業が長時間に亘るとともに、作業者にとっても労力の負担が大きいという課題があり、配管の敷設作業やパイプ材の溶接作業全般の効率悪化を招き、簡便な方法で且つ正確に芯出し作業を行うことが可能な治具の開発が望まれていた。
【０００７】
本発明は、このような事情に鑑みてなされたものであって、芯出しのための計測からマーキングまでを一括して行うことが可能な芯出し治具を提供することを目的としている。
つまり、本発明の目的は、計測からマーキングまでの一連の芯出し作業を迅速かつ正確に行うことが可能であり、且つ施工、組立時に必要な基準線を正確にマーキングすることが可能な芯出し治具を提供するところにある。
【課題を解決するための手段】
【０００８】
上記の目的を達成するために、請求項１記載の発明は、管状又は角状部材の外面に対し、少なくとも２点以上で接触する当接部を備えた固定用脚部を有し、該固定用脚部はケーシングに取り付けられ、該ケーシング全体を該固定用脚部によって管状又は角状部材に設置するように構成され、該ケーシングには管状又は角状部材に対する水平状態を示す水準器が内蔵されているとともに、管状又は角状部材の長手方向に亘る中心線を示す中心線指示手段を内蔵し、且つ、前後又は上下動可能なケガキ針が該ケーシングに設けられ、該ケガキ針が管状又は角状部材の外面に接触することにより、中心位置をマーキングすることを特徴とする。
【０００９】
請求項２記載の発明は、上記１項において、前記中心線表示手段は、レーザ墨だし器、墨汁及びつぼ糸を使用した墨つぼであることを特徴とする。
【００１０】
請求項３記載の発明は、上記１項又は２項において、前記固定用脚部は、長手方向から視た場合に、ウイング状に形成され、その下端部が、管状又は角状部材の外面に接触する前記当接部であり、前記ケーシングの下面に、前後一対設けられていることを特徴とする。
【発明の効果】
【００１１】
従来技術を用いた計測器では、中心位置の計測とマーキングが別々の作業となり、中心位置の計測とは別個に基準線を対象物にマーキングする必要があったが、本発明によれば、それらの作業を一度に包括的に実施することができる。そのため、作業時間や労力等の軽減が実現できると同時に、冶具や工具等の削減にもつながり、事業者の在庫管理負担を軽減することが可能である。
【図面の簡単な説明】
【００１２】
【図１】本発明に係る芯出し冶具の一実施形態に係る芯出し冶具の概略斜視図である。
【図２】同じく、本実施形態の芯出し冶具の分解斜視図である。
【図３】同じく、本実施形態の芯出し冶具の側面断面図である。
【図４】同じく、本実施形態の芯出し冶具の断面図であり、配管の長手方向に視た図である。
【図５】本実施形態の芯出し冶具の使用方法を示す説明図であり、芯出し対象となる管状の配管に対し芯出し作業を行う場合を想定した図である。
【発明を実施するための最良の形態】
【００１３】
以下、本発明に係る芯出し治具の好適な実施形態について添付図面を参照して詳細に説明する。
【００１４】
図１は本発明の一実施形態に係る芯出し冶具の概略斜視図、図２は本実施形態の芯出し冶具の分解斜視図、図３及び図４は本実施形態の芯出し冶具の断面図である。
これらの図に示されるように、本実施形態の芯出し治具１００は、固定用脚部２、ケーシング３、水準器４、中心線指示手段としての墨つぼ５、ケガキ部としてケガキ針７等から構成されている。
【００１５】
固定用脚部２は、管状の配管１の外周面に当接した状態で載置させることが可能なようにケーシング３の底面に設置され、山形の形状に形成されている。この固定用脚部２は、本実施形態では鋼板をアングル状に成形することによって形成され、長手方向から視てウイング状をなしているが、これに限らず、ケーシング３を配管１の外周面上に、がたつきなく、載置することができれば、その形状は問わない。
【００１６】
固定用脚部２の傾斜部２Ａには一対の脚部固定ガイド１３が傾斜面に沿って接合され、ケーシング３との間に介在させることによって補強を施し、芯出し時の精度を確保するようになっている。図４（Ｂ）に示されるように、芯出し冶具１００は固定用脚部２の当接部２Ａによって、配管１の外周面の二か所に点で接触した状態で載置され、これによって芯出し時の精度が確保されるようになっている。
なお、本実施形態では芯出しを行う被対象物として、管状の配管１を例に説明しているが、これに限らず角パイプ、木製の柱などについても適用可能である。
【００１７】
図２に示されるように、ケーシング３には、水準器４を収納する水準器収納口１５、墨つぼ５を収納する墨つぼ収納部６Ａ、ケガキ針７を収容可能な長穴状に穿設されたケガキ通し穴９、つぼ糸通過ガイド１２等が設けられている。
水準器４は、配管１に対するケーシング３の傾斜度合を示すとともに、墨つぼ５は、配管１の長手方向に亘って中心線のマーキングを行う作業、いわゆる墨だし作業ができるようになっている。
【００１８】
ケガキ針７は、十字形状に形成され、横方向にケガキ支持軸１４Ａ、縦方向にケガキ支持軸１４Ｂを具備している。ケガキ支持軸１４Ａは、ケーシング３の一端側の両側面に穿設されたケガキ通し穴８Ａ、８Ａによって軸支され、その両端はセットボルト８によってケーシング３に回動可能に固定されている。
【００１９】
ケーシング３の上面と下面には、ケガキ支持軸１４Ｂの上部軸及び下部軸の前後方向の動きを許容するケガキ通し穴９が設けられ、これによってケガキ針７はケガキ支持軸１４Ｂを回転軸としてケガキ通し穴９の大きさの範囲内で前後に移動することができる。ケガキ針７の最下部には鋭利な尖端部１４Ｃが形成され、この尖端部１４Ｃによって被対象物の表面に対しマーキングを施すようになっている。
【００２０】
図３及び図４にも示されるように、芯出し治具１００の水平状態を確認する水準器４は、ケーシング３に施された水準器収納口１５に収められている。
中心線表示手段である墨つぼ５は、ケーシング３の中央部に形成された墨つぼ収納部６Ａに収納されているとともに、墨つぼ収納部６Ａの長辺部には開閉可能な墨つぼフタ６が接合されている。墨つぼ５には、その内部にマーキングするための墨が充填された墨タンクとリール状に巻かれたつぼ糸１０が入っており、つぼ糸１０には墨タンクの墨が付着するようになっている。
【００２１】
また、ケーシング３の下部側には、つぼ糸通過ガイド１２が下方に向けて取り付けられており、その凹部１２Ａにつぼ糸１０を接触させながら、引き出すことによってケーシング３の中央位置から導くことができるようになっている。
加えて、ケガキ部として、前述したケガキ針７とは別に、補助的な機能を有する補助ケガキ針２０が、つぼ糸通過ガイド１２の直後に設置されている。
【００２２】
さらに、図３に示されるように、芯出し治具１００のケガキ針７側には、平準確認用オモリ１６が支持糸１７によって鉛直方向に垂下するように設けられており、水準器４と合わせて水平状態を確認するとともに、この平準確認用オモリ１６によって配管１の最上部及び最下部の位置、つまり直径となる位置を示すことができるようになっている。
【００２３】
図５は芯出し対象となる管状の配管１に対し、芯出し作業を行う場合を想定した図である。芯出し作業を行う際は以下のように行う。
先ず、図１に示されるように、芯出し冶具１００を配管１の一端に水準器４で水平状態を確認しながら、固定用脚部２の各々のウイング下端部が配管１に接するように設置する。その状態を維持しながらケガキ針７を長手方向に動かし、配管１の表面に尖端部１４Ｃによりキズをつけ、配管１の中心位置をマーキングする。
【００２４】
次いで、芯出し冶具１００を反転させ、配管１の他端に水準器４で水平状態を確認しながら、固定用脚部２の各々のウイング下端部が対象配管に接するように設置する。
そして、同様にケガキ針７を長手方向に動かし、配管１の表面にキズをつけ、配管１の中心位置をマーキングすることにより、配管１の両端における中心位置が示される。
【００２５】
さらに、芯出し冶具１００は、その位置を保持したまま、配管１の左端側よりつぼ糸つまみ１１を手でつまみ、墨つぼ５から、つぼ糸通過ガイド１２を通しながら、最初に配管１の左端にケガキ７によってマークした中心位置を通るように引っ張り出すと、マーキング用の墨が付着されたつぼ糸１０が配管１を二分することとなり、つぼ糸１０に付着している墨によって配管１に中心線がマーキングされる。
【００２６】
この状態で芯出し冶具１００が接していたケガキ針７の設置部分から、つぼ糸通過ガイド１２の間はマーキングされていない部分であるので、芯出し冶具を再度長手方向に反転させ、ケガキ７の先端を既につぼ糸１０でマーキングされた中心線に合わせたのち、つぼ糸つまみ１１を一番最初にケガキ針７でマークした中心位置に合わせながら手で引っ張り、マーキングされていない部分に中心線をマーキングする。これにより、配管１に１本の中心線がマーキングされる。
【００２７】
図５は芯出し対象となる配管１に、治具１００を水平に設置する仕組みを表した図であり、配管１の長手方向から視た状態を示している。また、同図に示される水準器４は、治具を設置する際における水準器４内の気泡１９の位置と水平状態の相関を模式的に示している。
【００２８】
図５に示されるように、芯出し冶具１００が配管１に水平に接触しているときは、水準器４の気泡１９は中央に位置するため、つぼ糸通過ガイド１２下部の半円状の隙間が、結果的に配管１の頂点に位置する。
一方、芯出し冶具１００が配管１に水平に接触していないときは、水準器４の気泡１９が中央から左右のいずれかに移動し、つぼ糸通過ガイド１２下部の半円状の隙間が配管１の頂点からずれるため、正しい中心位置をマーキングすることができない。
【００２９】
以上説明したように、本実施形態によれば、芯出し治具１００に内蔵されている水準器４によって治具１００を配管１に対して水平に設置されているかをまず判断した後、内蔵されている墨つぼ５並びにケガキ針７を使用して、配管１に中心線を迅速にマーキングして墨出しを行うことが可能となる。
要するに、芯出しのための計測からマーキングまでの作業を一括して行うことができ、配管作業等における工数の大幅な削減、工具の数も低減することが可能となる。
【００３０】
なお、本実施形態では、芯出しに際してマーキングを行う中心線指示手段として、墨つぼ５を利用しているが、これに限らず、レーザ式の芯出し装置なども使用することが可能である。これによれば、芯出し時における作業効率の向上を図ることができる。
また、固定用脚部２は、鋼板をアングル状に成形した部材を利用しているが、これに限らず、配管等に対して少なくとも２点以上で接触し、精度を確保することの可能であれば、例えば合計４つ等、複数の固定用脚部をケーシング３に設置してもよい。
【符号の説明】
【００３１】
１   配管
２   固定用脚部
２Ａ  当接部
３   ケーシング
４   水準器
５   墨つぼ
６Ａ  墨つぼ収納部
６Ｂ  墨つぼフタ
７   ケガキ針
８   セットボルト
９   ケガキ通し穴
１０  つぼ糸
１１つぼ糸つまみ
１２  つぼ糸通過ガイド
１２Ａ  凹部
１３  脚部固定ガイド
１４Ａ  ケガキ支持軸
１４Ｂ  ケガキ支持軸
１４Ｃ  尖端部
１５  水準器収納口
１６  平準確認用オモリ
１９  気泡
２０  補助ケガキ針
１００  芯出し治具
【図１】
2012115956.tif 000003
【図２】
2012115956.tif 000004
【図３】
2012115956.tif 000005
【図４】
2012115956.tif 000006
【図５】
2012115956.tif 000007
【手続補正書】
【提出日】平成23年9月20日(2011.9.20)
【手続補正１】
【補正対象書類名】特許請求の範囲
【補正対象項目名】全文
【補正方法】変更
【補正の内容】
【特許請求の範囲】
【請求項１】
芯出し対象物である管状又は角状部材の外面に接触する当接部を備えた固定用脚部を有し、該固定用脚部はケーシング下面に取り付けられているとともに、断面形状がアングル状に成形された部材を用いて形成され、その末広がりの両下端部が該芯出し対象物の外面に接触する当接部であり、該当接部は前記芯出し対象物の長手方向に沿った直線状の部分を有し、且つ該当接部は該芯出し対象物の外面に対し、芯出し対象物の断面方向から視た場合に点接触の状態となって、前記ケーシングは該芯出し対象物に支持され、該固定用脚部の傾斜部と、ケーシングとの間に脚部固定ガイドが接合されて両者の間に介在されているとともに、
該ケーシングには管状又は角状部材に対する水平状態を示す水準器、並びに管状又は角状部材の長手方向に亘る中心線を示す中心線指示手段を内蔵し、且つ、前後又は上下動可能なケガキ部が該ケーシングに設けられ、該ケガキ部が管状又は角状部材の外面に接触することにより、中心位置をマーキングするとともに、前記中心線指示手段は、レーザ墨だし器、又は墨汁及びつぼ糸を使用した墨つぼ等であることを特徴とする芯出し治具。
【手続補正２】
【補正対象書類名】明細書
【補正対象項目名】０００８
【補正方法】変更
【補正の内容】
【０００８】
上記目的を達成するために、請求項１記載の発明は、芯出し対象物である管状又は角状部材の外面に接触する当接部を備えた固定用脚部を有し、該固定用脚部はケーシング下面に取り付けられているとともに、断面形状がアングル状に成形された部材を用いて形成され、その末広がりの両下端部が該芯出し対象物の外面に接触する当接部であり、該当接部は前記芯出し対象物の長手方向に沿った直線状の部分を有し、且つ該当接部は該芯出し対象物の外面に対し、芯出し対象物の断面方向から視た場合に点接触の状態となって、前記ケーシングは該芯出し対象物に支持され、該固定用脚部の傾斜部と、ケーシングとの間に脚部固定ガイドが接合されて両者の間に介在されているとともに、該ケーシングには管状又は角状部材に対する水平状態を示す水準器、並びに管状又は角状部材の長手方向に亘る中心線を示す中心線指示手段を内蔵し、且つ、前後又は上下動可能なケガキ部が該ケーシングに設けられ、該ケガキ部が管状又は角状部材の外面に接触することにより、中心位置をマーキングするとともに、前記中心線指示手段は、レーザ墨だし器、又は墨汁及びつぼ糸を使用した墨つぼ等であることを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００２０
【補正方法】変更
【補正の内容】
【００２０】
図３及び図４にも示されるように、芯出し治具１００の水平状態を確認する水準器４は、ケーシング３に施された水準器収納口１５に収められている。
中心線指示手段である墨つぼ５は、ケーシング３の中央部に形成された墨つぼ収納部６Ａに収納されているとともに、墨つぼ収納部６Ａの長辺部には開閉可能な墨つぼフタ６が接合されている。墨つぼ５には、その内部にマーキングするための墨が充填された墨タンクとリール状に巻かれたつぼ糸１０が入っており、つぼ糸１０には墨タンクの墨が付着するようになっている。